(57)【要約】【課題】冷却ファン、大型の金属製のリアカバーを使用せずに、電磁シールドと放熱性を得る。【解決手段】画像を表示するための平面型のＰＤＰ３が前面に取り付けられた導電性のシャーシ基板４の背面に、入力される画像信号に基づいてＰＤＰ３の描画を制御するパネル駆動部５と、オーディオ信号を制御するオーディオ回路と画像信号およびオーディオ信号の抽出を行うチューナ回路とを含むソース部８と、パネル駆動部５とソース部８とに給電する電源部２と、を後面を開放した前面枠１３と該前面枠１３の開放部を覆うリアカバー１１とで構成される外装筐体１０内に内蔵する平面型表示装置１であり、外装筐体１０を、パネル駆動部および電源部２を収容する第１収容部とは別に、ソース部を収容する第２収容部を区画形成する構造とする。【選択図】        図２
2005024875.tif 000002
【特許請求の範囲】
【請求項１】
画像を表示するための平面型のディスプレイパネルが前面に取り付けられた導電性のシャーシ基板の背面に、入力される画像信号に基づいてディスプレイパネルの描画を制御するパネル駆動部と、
オーディオ信号を制御するオーディオ回路と画像信号およびオーディオ信号の抽出を行うチューナ回路とを含むソース部と、
前記パネル駆動部とソース部とに給電する電源部と、を後面を開放した前面枠と該前面枠の開放部を覆うリアカバーとで構成される外装筐体内に内蔵する平面型表示装置であって、
前記外装筐体を、前記パネル駆動部および電源部を収容する第１収容部とは別に、前記ソース部を収容する第２収容部を区画形成する構造としたことを特徴とする平面型表示装置。
【請求項２】
前記リアカバーは、前記第１収容部を覆う導電性の第１リアカバーと、前記第２収容部を覆う軽量部材からなる第２リアカバーと、からなることを特徴とする請求項１に記載の平面型表示装置。
【請求項３】
前記第１リアカバーを金属製とし、前記第２リアカバーを樹脂製としたことを特徴とする請求項２に記載の平面型表示装置。
【発明の詳細な説明】
【０００１】
【発明の属する技術分野】
本発明は、平面型表示装置に関するものである。
【０００２】
【従来の技術】
近年、平面型表示装置に用いられるディスプレイパネルとして、放電空間を介して対向配置された一対の基板の内面に、それぞれ行電極対と列電極対とが配置され、これらの両電極同士の交点において放電セルが構成されて、各放電セルにおいて放電させることにより表示を行うプラズマディスプレイパネル（以下、ＰＤＰと称す）の開発が活発化している。
【０００３】
このようなＰＤＰを用いた平面型表示装置は、大画面の画像モニタ等に使用され、画像ソースを提供するチューナ等や、音声を出力するスピーカ、オーディオ信号を制御してスピーカを駆動するオーディオ回路等は、それぞれ別体の装置を使っていた。
【０００４】
しかし、大画面の平面型表示装置が一般家庭に普及するに伴い、家庭用テレビ受像機として使いやすいように、チューナやスピーカおよびオーディオ回路等を一体化した平面型表示装置も開発されている。
【０００５】
上記のような一体型の平面型表示装置は、ディスプレイパネルを収容する外装筐体内に、ディスプレイパネルの描画を制御するパネル駆動部と、スピーカと、オーディオ信号を制御してスピーカを駆動するオーディオ回路と、再生するオーディオ信号や画像信号を抽出するためのチューナ回路とを内蔵して構成されている。
【０００６】
以下、従来の一体型の平面型表示装置について一例を挙げ、図１を参照して詳細に説明する。図１は、ＰＤＰによる一体型の平面型表示装置の従来例を示したものである。
【０００７】
図１に示すように、平面型表示装置１０１は、開口部にガラス等から成る前面カバーが配置された前面枠１１３と、リアカバー１１１とで構成される外装筐体１１０を備える。そして、この外装筐体１１０内に、画像を表示するための平面型のディスプレイパネルであるＰＤＰ１０３と、入力される画像信号に基づいてＰＤＰ１０３の描画を制御するパネル駆動部１０５と、入力されるオーディオ信号に基づいてスピーカ１０９等への出力信号を制御するオーディオ回路１０６と、テレビ電波等の受信電波の選局をしてパネル駆動部１０５に入力される画像信号の抽出やオーディオ回路１０６に入力されるオーディオ信号の抽出を行うチューナ回路１０７とを備えたソース部１０８と、上記の各部の回路に給電する電源部１０２とを装備を内蔵する。
【０００８】
上記のＰＤＰ１０３は、その背面側に位置する金属製のシャーシ基板１０４に両面粘着テープによって貼着固定される。また、シャーシ基板１０４は、前面枠１１３に形成された図示略の取り付け部に、ねじ等によって締結固定される。
【０００９】
また、パネル駆動部１０５、ソース部１０８、電源部１０２は、何れも、シャーシ基板１０４の背面に搭載される。
【００１０】
前面枠１１３は、通常、合成樹脂による一体成型品である。また、リアカバー１１１は、電源部１０２、パネル駆動部１０５、ソース部１０８等を搭載したシャーシ基板１０４の背面全域を覆う一体品で、電磁波漏洩を防止することから、金属製とされている（例えば、特許文献１参照）。
【００１１】
【特許文献１】
特開２００１−３４５５８６号公報
【００１２】
【発明が解決しようとする課題】
ところで、オーディオ回路１０６に搭載されるアンプ部（特に、パワーアンプを構成するパワーＩＣ等）は、かなりの発熱を生ずる。上記のようにパネル駆動部５の収容空間内にオーディオ回路１０６も内蔵させた構造では、オーディオ回路１０６からの発熱がパネル駆動部１０５の動作に影響を及ぼすことを防止するために、オーディオ回路１０６の発熱を筐体外部に逃がすための放熱口を外装筐体１１０に装備し、且つ、筐体内の昇温した雰囲気を前記放熱口から外部に強制放出する冷却ファンを装備することが必要不可欠になる（ファンの冷却能力によっては複数必要）。
【００１３】
平面型表示装置に冷却ファンを装備することは、装備部品数の増大によるコストアップを招くだけでなく、筐体内での収容スペースを圧迫して、装置の大型化を招くという問題もあった。また、冷却ファンの動作音が装置外部に漏れてしまうため、オーディオ装置等に要求される静音性を損なう虞もあった。
【００１４】
さらに、上記の従来の平面型表示装置１０１では、金属製のリアカバー１１１が、シャーシ基板１０４の全域を覆う一体構造で大型になるため、重量増を招くという問題もあった。
【００１５】
本発明が解決しようとする課題には、冷却ファンを装備することが必要不可欠なため、装置の大型化や静音性を損なう虞があるという問題や、金属製のリアカバーが大型になるため重量増を招くという問題がそれぞれ一例として挙げられる。
【００１６】
【課題を解決するための手段】
請求項１に記載した発明は、画像を表示するための平面型のディスプレイパネルが前面に取り付けられた導電性のシャーシ基板の背面に、入力される画像信号に基づいてディスプレイパネルの描画を制御するパネル駆動部と、オーディオ信号を制御するオーディオ回路と画像信号およびオーディオ信号の抽出を行うチューナ回路とを含むソース部と、前記パネル駆動部とソース部とに給電する電源部と、を後面を開放した前面枠と該前面枠の開放部を覆うリアカバーとで構成される外装筐体内に内蔵する平面型表示装置であって、前記外装筐体を、前記パネル駆動部および電源部を収容する第１収容部とは別に、前記ソース部を収容する第２収容部を区画形成する構造としたことを特徴とする。
【００１７】
【発明の実施の形態】
以下、図２及び図３に基づいて本発明の好適な実施の形態に係る平面型表示装置を詳細に説明する。
図２は本実施の形態に係る平面型表示装置の分解斜視図、図３は図２に示した平面型表示装置の縦断面図である。
【００１８】
図２及び図３に示すように、平面型表示装置１は、開口部にガラス等から成る前面カバーが配置された前面枠１３と、２つのリアカバー１１，１２とで構成される外装筐体１０を備える。そして、この外装筐体１０内に、画像を表示するための平面型のディスプレイパネルであるＰＤＰ３と、入力される画像信号に基づいてＰＤＰ３の描画を制御するパネル駆動部５と、入力されるオーディオ信号に基づいてスピーカ９等への出力信号を制御するオーディオ回路６と、テレビ電波等の受信電波の選局をしてパネル駆動部５に入力される画像信号の抽出やオーディオ回路６に入力されるオーディオ信号の抽出を行うチューナ回路７とを備えたソース部８と、上記の各部の回路に給電する電源部２とを装備を内蔵する。
【００１９】
ＰＤＰ３は、その背面側に位置する金属製のシャーシ基板４に両面粘着テープ等によって貼着固定される。また、シャーシ基板４は、前面枠１３に形成された図示略の取り付け部に、ねじ等によって締結固定される。
【００２０】
また、パネル駆動部５、ソース部８は、電源部２は、何れも、シャーシ基板４の背面に搭載される。
【００２１】
本実施の形態の場合、外装筐体１０は、パネル駆動部５を収容する第１収容部１４とは別に、ソース部８を収容する第２収容部１５を区画形成した構造となっている。さらに、これらの各収容部１４，１５とは別に、左右のスピーカ９，９を収容するエンクロージャ部１６，１６が区画形成されている。
【００２２】
以上の各収容部１４，１５とエンクロージャ部１６，１６は、ＰＤＰ３が取り付けられるシャーシ基板４の背面に立設された隔壁１７，１８，１９によって、占有域が重ならないように区画設定されている。
【００２３】
ソース部８を収容する第２収容部１５と、左右のエンクロージャ部１６，１６は、左右のエンクロージャ部１６，１６間に第２収容部１５が位置するように、第１収容部１４の下側に横一列に配置されている。
【００２４】
リアカバーは、第１収容部１４を覆う導電性の第１リアカバーと、第２収容部を覆う軽量部材からなる第２リアカバーと、からなる。ここで云う軽量部材とは、導電性の第１リアカバーよりもかなり軽い部材のことを云う。例えば、第１リアカバーを金属製、第２リアカバーを樹脂製とする。
【００２５】
つまり、第１収容部１４を覆う第１リアカバー１１は、パネル駆動部５等からの電磁波漏洩を防止する必要があるため、導電性のある金属製とし、電磁波の発生が少ない第２収容部１５やエンクロージャ部１６，１６を覆う第２リアカバー１２は、金属製の第１リアカバー１１よりもかなり軽く、前面枠１３に使われる部材と同じ部材である樹脂製としている。
【００２６】
以上の平面型表示装置１では、発熱が多いオーディオ回路６は、パネル駆動部５とは別の独立した第２収容部１５に収容されているため、オーディオ回路６からの発熱がパネル駆動部５の動作に影響を及ぼすことが防止される。
【００２７】
したがって、パネル駆動部５とオーディオ回路６とを同一の収容部に収容していた従来の装置と比較すると、オーディオ回路６の発熱に起因したパネル駆動部５側の昇温を防止するための冷却ファンの省略が可能になり、冷却ファンの省略によって、収容スペースの圧迫をなくすと同時に、装備部品の削減を実現して、小型化と低コスト化を実現することができる。
【００２８】
また、上記のように、電磁波漏洩の防止が必要な第１収容部１４を覆う第１リアカバー１１のみを金属製とし、第２収容部１５を覆う第２リアカバー１２は樹脂製としているので、重量が嵩む金属製リアカバーは、シャーシ基板４の一部領域である第１収容部１４のみを覆う必要最小限に小型化することができ、シャーシ基板の全域を単一の金属製リアカバーで覆っていた従来の装置と比較すると、金属製リアカバーの小型化によって軽量化を図ることもできる。
【００２９】
また、上記実施の形態においては、平面型のディスプレイパネルとしてＰＤＰを用いた例を示したが、本発明はこれに限らず、有機ＥＬディスプレイパネル、液晶ディスプレイパネルなどの他のフラットディスプレイパネルを搭載する平面型表示装置にも適用可能である。
【００３０】
また、上記実施の形態では、ステレオ再生用に装備される左右のスピーカ９，９用に、左右に独立したエンクロージャ部１６，１６を装備したが、エンクロージャ部の容積を稼ぐために、エンクロージャ部１６，１６を画成する隔壁の構造は、適宜に設計変更可能である。
【００３１】
また、上記の実施の形態では図示していないが、第２収容部１５からの発熱が第１収容部１４側に漏れることを防止するために、少なくとも第１収容部１４と第２収容部１５との間を仕切る隔壁１７には、シール性を向上させるためのガスケット等を装備してもよい。
【００３２】
本実施の形態に係る平面型表示装置１によれば、画像を表示するための平面型のＰＤＰ３が前面に取り付けられた導電性のシャーシ基板４の背面に、入力される画像信号に基づいてＰＤＰ３の描画を制御するパネル駆動部５と、オーディオ信号を制御するオーディオ回路と画像信号およびオーディオ信号の抽出を行うチューナ回路とを含むソース部８と、パネル駆動部５とソース部８とに給電する電源部２と、を後面を開放した前面枠１３と該前面枠１３の開放部を覆うリアカバー１１とで構成される外装筐体１０内に内蔵する平面型表示装置１であって、外装筐体１０を、パネル駆動部および電源部２を収容する第１収容部とは別に、ソース部を収容する第２収容部を区画形成する構造とすることにより、発熱が多いオーディオ回路６は、パネル駆動部５とは別の独立した収容部に収容されているため、オーディオ回路６からの発熱がパネル駆動部５の動作に影響を及ぼすことが防止される。
【００３３】
したがって、オーディオ回路６の発熱に起因するパネル駆動部５側の昇温を防止するための冷却ファンの省略が可能になり、冷却ファンの省略によって、収容スペースの圧迫をなくすと同時に、装備部品の削減を実現して、小型化と低コスト化を実現することができる。
【００３４】
さらに、電磁波漏洩を防止するための金属製リアカバー１１は、シャーシ基板４の一部領域である第１収容部１４のみを覆う必要最小限に小型化することができ、金属製リアカバー１１の小型化によって軽量化を図ることもできる。
【図面の簡単な説明】
【図１】従来の平面型表示装置の概略構成を示す分解斜視図である。
【図２】本発明に係る平面型表示装置の一実施の形態の分解斜視図である。
【図３】図２に示した平面型表示装置の縦断面図である。
【符号の説明】
１  平面型表示装置
２  電源部
３  ＰＤＰ（プラズマディスプレイパネル）
４  シャーシ基板
５  パネル駆動部
６  オーディオ回路
７  チューナ回路
８  ソース部
９  スピーカ
１０  外装筐体
１１  第１リアカバー
１２  第２リアカバー
１３  前面枠
１４  第１収容部
１５  第２収容部
１６  エンクロージャ部
【図１】
2005024875.tif 000003
【図２】
2005024875.tif 000004
【図３】
2005024875.tif 000005